(57)【要約】【課題】携帯型の編集装置において、携帯に便利な小型でありながら、操作性を良好なものとする。【解決手段】携帯型の編集装置１は、概略長方形の本体部１０と、この本体部１０の主面１１と略同形状の主面３１を有する蓋体３０と、これらの本体部１０と蓋体３０とを回動自在に（開閉自在に）連結する連結部４０とを有する。本体部１０には、メモリカード２Ａ、２Ｂを装着するメモリカードスロット１５、１６が設けられ、蓋体３０には表示パネル３５が設けられ、編集対象となるＡ画像３６ＡとＢ画像３６Ｂとが表示される。本体部１０の主面１１の中央位置には、長手方向に移動（スライド）可能な回転操作部２１が設けられ、回転操作部２１をスライドさせることで、メモリカード２Ａ、２Ｂの一方が選択されて編集対象が切り換えられる。【選択図】  図１
2004266357.tif 000002
【特許請求の範囲】
【請求項１】
編集素材情報を編集処理して編集結果情報を生成する編集装置において、
上記編集素材情報及び／又は編集結果情報が記録される複数の半導体メモリをそれぞれ着脱可能に装着する複数の半導体メモリ装着部と、
複数の画像を同時表示可能な表示部と、
上記複数の半導体メモリ装着部に装着された半導体メモリに対する書込／読出を制御し、上記編集素材情報の編集処理を制御し、上記表示部に複数の画像を表示制御する制御部と、
上記制御部により制御され、上記編集素材情報を編集処理して編集結果情報を出力する編集処理部と
を有することを特徴とする編集装置。
【請求項２】
携帯可能な形状寸法に形成された本体部と、
該本体部に対して開閉自在に支持され、該本体部の主面と略同形状の対向面を有する蓋体とを有し、
上記表示部は、上記蓋体の上記本体との対向面に設けられて成ることを特徴とする請求項１記載の編集装置。
【請求項３】
上記複数の半導体メモリ装着部に装着された半導体メモリの少なくとも一部には上記編集素材情報が格納され、
上記制御部は、該少なくとも一部の半導体メモリから上記編集素材情報を読み出して、上記編集処理部により編集処理を行わせ、編集結果情報を上記複数の半導体メモリ装着部に装着された半導体メモリの少なくとも１つに書き込む制御を行うことを特徴とする請求項１記載の編集装置。
【請求項４】
上記本体部には、上記蓋体の開状態において上記表示部に表示される複数の画面の位置に対応する方向に平行移動可能な操作部が設けられ、
この操作部の平行移動操作により上記編集処理の対象となる編集素材情報が書き込まれた半導体メモリを選択することを特徴とする請求項１記載の編集装置。
【請求項５】
上記操作部は、回転操作されるリング状部と、このリング状部の内部に設けられ直線的な方向を指示する方向指示部とを有して成ることを特徴とする請求項４記載の編集装置。
【請求項６】
上記本体部及び上記蓋体のそれぞれの対応する一辺から突出する延長部を介して上記一辺に平行な軸を有する軸部が設けられ、上記本体部と上記蓋体とは上記軸部により回動可能に結合されていることを特徴とする請求項１記載の編集装置。
【請求項７】
上記軸部から軸方向に突出する軸端操作部を有することを特徴とする請求項５記載の編集装置。
【請求項８】
複数の記録媒体に記録された複数の編集素材情報を編集処理して編集結果情報を生成する編集装置において、
上記制御部により制御され、上記複数の編集素材情報を編集処理して編集結果情報を出力する編集処理部と、
回転操作される回転操作手段を有する操作入力部と、
上記操作入力部からの操作入力に応じて上記編集処理部における編集処理を制御する制御手段とを有し、
上記回転操作手段は平行移動可能に構成され、この回転操作手段の平行移動に応じて上記制御手段により上記複数の編集素材情報が記録された記録媒体を選択して上記編集処理手段による編集処理を行わせることを特徴とする編集装置。
【請求項９】
上記回転操作手段は、リング状に構成され、上記編集素材情報の再生動作を制御するためのジョグ／シャトル機能を有することを特徴とする請求項８記載の編集装置。
【請求項１０】
上記回転操作手段は、回転操作されるリング状部と、このリング状部の内部に設けられ直線的な方向を指示する方向指示部とを有して成ることを特徴とする請求項８記載の編集装置。
【請求項１１】
本体部と、
該本体部の主面と略同形状の対向面を有する蓋体と、
上記本体部及び上記蓋体の少なくとも一方に設けられた画像表示部と、
上記本体部及び上記蓋部の一辺から突出して設けられ、上記一辺に平行な軸を回転軸として上記本体部及び上記蓋部を回動自在に軸支する軸部と、
上記軸部から軸方向に突出して設けられた軸端操作部と
を有することを特徴とする画像表示装置。
【請求項１２】
上記軸端操作部は、軸中心の回りに回動可能とされていることを特徴とする請求項１１記載の画像表示装置。
【請求項１３】
上記軸端操作部は、上記軸部の両端からそれぞれ突出して設けられた第１、第２の操作部を有して成ることを特徴とする請求項１１記載の画像表示装置。
【発明の詳細な説明】
【０００１】
【発明の属する技術分野】
本発明は、編集装置及び画像表示装置に関し、例えば着脱可能な半導体記憶媒体であるメモリカードに記憶された画像／映像データを液晶表示パネルに表示したり編集したりするための携帯型の編集装置及び画像表示装置に関する。
【０００２】
【従来の技術】
近年、半導体メモリを利用したカード状の記憶媒体であるメモリカードの高容量化が進み、音響データや映像データ等の大容量データを記憶することが可能となってきている。このようなメモリカードは、例えばテープ状記録媒体やディスク状記録媒体よりも小型であるため、持ち運びすることが前提とされる携帯型の小型電子機器用の記憶媒体として用いることが可能となる。
【０００３】
ここで、メモリカードを記憶媒体として用いた従来の携帯型電子機器の一例として、例えば、いわゆるディジタルカメラが知られており、本来は静止画を撮影して記録するためのものであるが、近年においては、ＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）等の画像圧縮技術を用いて動作を撮影して記録することも可能となっている。例えば、特許文献１には、静止画記録機能と動画記録機能とを兼備した電子撮像装置が記載されている。この他、メモリカードを記憶媒体として用いる携帯電話やＰＤＡ（Ｐｅｒｓｏｎａｌ  Ｄｉｇｉｔａｌ  Ａｓｓｉｓｔａｎｔｓ）等に、静止画や動画の撮影／記録機能を持たせることも実現されている。
【０００４】
一方、映像信号等を編集するための編集装置には、映像信号再生装置を変速再生して編集点を容易に見つけるために、いわゆるジョグダイヤルやシャトルリングが設けられている場合がある。例えば、特許文献２には、ＤＶＤ（Ｄｉｇｉｔａｌ  Ｖｅｒｓａｔｉｌｅ  Ｄｉｓｃ）装置等の映像信号再生装置の変速再生を行わせるときに回転操作されるジョグシャトル部を有する入力装置が記載されている。
【０００５】
【特許文献１】
特開２００１−２５４２５８号公報
【特許文献２】
特開平１０−１９９１２４号公報
【０００６】
【発明が解決しようとする課題】
ところで、メモリカードを記憶媒体として用いた動画像の撮影／記録機能を有する携帯型電子機器の場合に、旅先等の外出先でも簡易に編集を行いたいことがある。例えば、海外旅行等の長期旅行の場合には、持参するメモリカードの個数や記憶容量の制限から、撮影した映像を編集して整理することでメモリカードの有効利用を図りたい場合がある。また、撮影した映像素材の量が多い場合には、帰宅してからの編集作業に時間がかかるため、出先で仮編集をしておきたいこともある。
【０００７】
しかしながら、携帯型の編集装置は、形状寸法を携帯に便利なように小型化することが要求されるため、操作ボタンやダイヤル等の配置に制限が生じ、例えば、２つの映像信号を編集するために、それぞれの映像信号用に個別の操作ボタンやダイヤルを設けることは困難である。特に、上述したようなジョグシャトル部は、操作性が良好であり、編集作業の能率化に好適なものであるが、編集のための２つ以上の映像信号のそれぞれに対応するジョグシャトル部を個別に設けることは、スペース的にかなり無理が生ずることになる。
【０００８】
ここで、ハードディスク装置（ＨＤＤ）等を用いた編集装置では、モータが必要となるため消費電力が大きく、また、信頼性（リライアビリティ）の点でも、振動に弱い等の理由により、携帯型の編集機器には不向きである。一方、いわゆるコンパクトディスク等のディスク媒体では、リライアビリティは比較的よいが、モータ駆動のため消費電力が多く消費されるという問題がある。従って、上述したような消費電力、リライアビリティの点からも、半導体メモリを利用したメモリカードを用いるタイプの携帯型の編集装置が望まれている。
【０００９】
本発明は、このような従来の実情に鑑みて提案されたものであり、メモリカードのような着脱可能な半導体メモリを記憶媒体として用いた携帯用の編集装置を提供すると共に、携帯に便利な小型でありながら、操作性が良好な編集装置及び画像表示装置を提供することを目的とする。
【００１０】
【課題を解決するための手段】
上述した目的を達成するために、本発明に係る編集装置は、編集素材情報を編集処理して編集結果情報を生成する編集装置において、上記編集素材情報及び／又は編集結果情報が記録される複数の半導体メモリをそれぞれ着脱可能に装着する複数の半導体メモリ装着部と、複数の画像を同時表示可能な表示部と、上記複数の半導体メモリ装着部に装着された半導体メモリに対する書込／読出を制御し、上記編集素材情報の編集処理を制御し、上記表示部に複数の画像を表示制御する制御部と、上記制御部により制御され、上記編集素材情報を編集処理して編集結果情報を出力する編集処理部とを有している。
【００１１】
ここで、上記編集装置は、携帯可能な形状寸法に形成された本体部と、該本体部に対して開閉自在に支持され、該本体部の主面と略同形状の対向面を有する蓋体とを有し、上記表示部は、上記蓋体の上記本体との対向面に設けられて成ることが挙げられる。また、上記複数の半導体メモリ装着部に装着された半導体メモリの少なくとも一部には上記編集素材情報が格納され、上記制御部は、該少なくとも一部の半導体メモリから上記編集素材情報を読み出して、上記編集処理部により編集処理を行わせ、編集結果情報を上記複数の半導体メモリ装着部に装着された半導体メモリの少なくとも１つに書き込む制御を行うことが挙げられる。
【００１２】
また、本発明に係る編集装置は、複数の記録媒体に記録された複数の編集素材情報を編集処理して編集結果情報を生成する編集装置において、上記制御部により制御され、上記複数の編集素材情報を編集処理して編集結果情報を出力する編集処理部と、回転操作される回転操作手段を有する操作入力部と、上記操作入力部からの操作入力に応じて上記編集処理部における編集処理を制御する制御手段とを有し、上記回転操作手段は平行移動（スライド）可能に構成され、この回転操作手段の平行移動（スライド）操作に応じて上記制御手段により上記複数の編集素材情報が記録された記録媒体を選択して上記編集処理手段による編集処理を行わせることを特徴とする。この回転操作手段としては、いわゆるジョグ／シャトルリング（又はダイヤル）が挙げられる。
【００１３】
さらに、本発明に係る画像表示装置は、本体部と、該本体部の主面と略同形状の対向面を有する蓋体と、上記本体部及び上記蓋体の少なくとも一方に設けられた画像表示部と、上記本体部及び上記蓋部の一辺から突出して設けられ、上記一辺に平行な軸を回転軸として上記本体部及び上記蓋部を回動自在に軸支する軸部と、上記軸部から軸方向に突出して設けられた軸端操作部とを有している。
【００１４】
【発明の実施の形態】
以下、本発明を適用した具体的な実施の形態について、図面を参照しながら詳細に説明する。この実施の形態は、本発明を、着脱可能な半導体記憶媒体であるメモリカードに記憶された映像データを編集し液晶表示パネルに表示する編集装置に適用したものである。図１にこの編集装置１の斜視図を示し、図２及び図３にそれぞれ該編集装置１の平面図及び裏面図を示す。
【００１５】
図１〜図３に示す編集装置１は、画像／映像データやオーディオデータ等の編集素材情報を編集処理して編集結果情報を生成するものであり、上記編集素材情報及び／又は編集結果情報が記録される複数の半導体メモリであるメモリカードがそれぞれ着脱可能に装着されるようになっている。このメモリカードは、いわゆるＳＳＦＤＣ（Ｓｏｌｉｄ−Ｓｔａｔｅ  Ｆｌｅｘｉｂｌｅ  Ｄｉｓｋ  Ｃａｒｄ）と略称されるフラッシュＥＥＰＲＯＭ（Ｅｌｅｃｔｉｃａｌｌｙ  Ｅｒａｓａｂｌｅ  ａｎｄ  Ｐｒｏｇｒａｍｍａｂｌｅ  ＲＯＭ）を用いたメモリカードや、いわゆるミニチュアカード等の少なくとも画像／映像データを記憶可能な半導体記憶媒体であり、例えば４ＭＢ〜１ＧＢ、あるいはさらに大容量のメモリ容量を有する。
【００１６】
図１〜図３に示す例では、編集装置１は、概略長方形で長手方向に直交する両側部が丸みを帯びた形状の本体部１０と、この本体部１０の主面１１と略同形状の主面３１を有する蓋体３０と、これらの本体部１０と蓋体３０とを回動自在に（開閉自在に）連結する連結部４０とを有して構成されている。連結部４０は、本体部１０の長手方向に平行な一辺（後端辺）１２から突出する延長部４１と、蓋体３０の長手方向に平行な一辺３２から突出する延長部４３と、これらの延長部４１、４３を本体部１０及び蓋体３０の長手方向に平行な軸を中心として回動自在に支持する軸部４２とを有し、この軸部４２の回りに、本体部１０に対して蓋体３０が図中の矢印Ｒ方向に回動することにより、蓋体３０が開いた状態とされる。
【００１７】
本体部１０の主面１１の中央位置には、いわゆるジョグ／シャトル部のような回転操作部２１が設けられ、この回転操作部２１は、本体部１０の長手方向に移動（スライド）可能とされている。本実施の形態では、回転操作部２１を図中左右方向（図中の矢印Ａ方向及びＢ方向）に移動させることで編集対象が切り換わり、移動後は元の中央位置に復帰するようにされている。回転操作部２１の外周には、手指での回転操作を容易にするために、複数本の溝が形成されている。また、回転操作部２１の内側には、方向指示操作部２２が設けられている。この方向指示操作部２２は、例えば平リング状あるいは同心円状に形成され、リング面上の上下左右の４領域を押圧等により操作することにより、４方向の指示をすることが可能となっている。図示の例では、方向指示操作部２２の上下左右位置の操作に対応して、一時停止、停止、逆方向再生、順方向再生が選択されるようになっているが、後述する画面上のカーソルを上下左右に移動させるカーソルキーとして用いるようにしてもよい。さらに、方向指示操作部２２の内側中心位置には、円形ボタン２３が設けられ、押圧操作によりいわゆるパンチインの場合のイン点、アウト点の決定等のような編集確定操作等が行えるようになっている。
【００１８】
また、本体部１０の長手方向に平行な他方の辺（前端辺）側の端面１３には、複数の、例えば２つの半導体メモリ装着部であるメモリカードスロット１５、１６が設けられている。
【００１９】
ここで、図４の（Ａ）は、上記編集装置１の蓋体３０のみを取り出して示す正面図、図４の（Ｂ）は、上記図２のＩＶ−ＩＶ線断面矢視図である。また、図５は、蓋を閉じた状態における上記編集装置１の長手方向の中心位置で切断した横断面図を示す。
【００２０】
これらの図１〜図５から明らかなように、本実施の形態においては、蓋体３０の長手方向に平行な他方の辺（前端辺）側の端面３３にも、半導体メモリ装着部であるメモリカードスロット３４を設けている。
【００２１】
次に、蓋体３０の主面３１には、液晶表示パネル（ＬＣＤパネル）３５が設けられ、編集作業のための編集素材や編集結果等が表示されるようになっている。本実施の形態では、液晶表示パネル３５には、編集対象となる複数の画像（例えば、Ａ画像３６Ａ及びＢ画像３６Ｂの２つの画像）が表示され、さらに必要に応じて編集処理や編集内容等に関連する情報である編集関連情報３７が表示される。また、本実施の形態では、例えば、本体部１０のメモリカードスロット１５に装着されたメモリカード２Ａに記憶された（記録された）編集素材である映像信号をＡ画像３６Ａとして表示し、メモリカードスロット１６に装着されたメモリカード２Ｂに記憶された（記録された）編集素材である映像信号をＢ画像３６Ｂとして表示するようにしている。なお、蓋体３０のメモリカードスロット３４に装着されるメモリカード２Ｃには、例えば編集結果の映像信号を書き込むようにすればよいが、この他、メモリカード２Ｃは、第３の編集素材を記憶しておく等の種々の用途に使用可能である。
【００２２】
そして、本体部１０の主面１１に設けられた上記回転操作部２１を図中左方向（図１の矢印Ａ方向）に移動させる（スライドさせる）ことで編集対象がＡ画像３６Ａに切り換わり、元の中央位置に復帰した状態で回転操作部２１を回転操作することにより、メモリカードスロット１５に装着されたメモリカード２Ａに記憶された編集素材である映像信号に対して、いわゆるジョグ／シャトル操作が行われる。また、回転操作部２１を図中右方向（図１の矢印Ｂ方向）に移動させる（スライドさせる）ことで編集対象がＢ画像３６Ｂに切り換わり、元の中央位置に復帰した状態で回転操作部２１を回転操作することにより、メモリカードスロット１６に装着されたメモリカード２Ｂに記憶された編集素材である映像信号に対して、いわゆるジョグ／シャトル操作が行われる。すなわち、回転操作部２１を図中左右方向（図１の矢印Ａ、Ｂ方向）に移動させることにより、編集対象をメモリカード２Ａ、２Ｂにそれぞれ記憶された（記録された）編集素材のいずれかに切り換えることができる。
【００２３】
ここで、ジョグ／シャトル操作とは、従来よりＶＴＲ等の映像再生装置に変速再生を行わせるための入力を与えるときの操作として知られているものであり、例えば、シャトルリングを回動させたときの回転角度に対応して再生速度が変化し、回転方向に応じて再生方向（正方向、逆方向）が切り換わり、また、ジョグダイヤルを回転させたときの回転角度及び方向に対応して再生位置（再生フレーム）が変化するものである。本実施の形態においては、回転操作部２１の回転リングにより、上記ジョグ／シャトル操作の少なくとも一方を行わせるものであり、例えばシャトル操作のみを行わせるようにすることが考えられる。両方を行わせる場合には、切換ボタン（図示せず）等によりジョグ操作とシャトル操作とを交互に切り換えるようにすればよい。また、回転操作部２１を２重の同心円構造とし、一方でジョグ操作を、他方でシャトル操作を行わせるようにしてもよい。
【００２４】
さらに、必要に応じて、本体部１０の主面１１上に、記録ボタン２５、２６等の操作ボタンが設けられている。図示の例では、編集対象（Ａ画像、Ｂ画像）毎にそれぞれ記録ボタン２５、２６等を設けているが、これらも１組にまとめて、上記回転操作部２１のスライド操作による編集対象の切換操作に応じて操作対象を切り換えるようにしてもよいことは勿論である。
【００２５】
次に、本体部１０と蓋体３０とを連結する連結部４０の回転軸部分である軸部４２の両端から、軸方向にそれぞれ突出して軸端操作部４５、４６が設けられている。この軸端操作部４５、４６は、軸中心の回りに回動可能とされている。本実施の形態において、軸端操作部４５は、回動することに応じてクリック感が生じるように構成され、例えば電源スイッチとして用いられ、また、軸端操作部４６は所定の回動範囲内で回動し、回動に応じて音量が変化するようないわゆるボリューム摘みとして用いられている。この他、編集作業に関連した操作入力手段や、その他の操作入力手段として用いてもよい。
【００２６】
さらに、軸部４２には、必要に応じて液晶表示部４７が設けられ、編集点の位置を時間、分、秒、フレームで示すいわゆるタイムコード等を表示するようになされている。
【００２７】
上記回転操作部２１は、例えば、インクリメンタル型のロータリーエンコーダで構成されており、これにより、ジョグダイヤル及びシャトルリングのいずれとしても機能することができるようになされている。
【００２８】
図６は、インクリメンタル型のロータリーエンコーダの構成例を示しており、図６の（Ａ）はロータリーエンコーダの平面図、図６の（Ｂ）は図６の（Ａ）のＢ−Ｂ線断面矢視図、図６の（Ｃ）は右側面図である。
【００２９】
これらの図６の（Ａ）〜（Ｃ）に示すように、ロータリーエンコーダは、本体１１に固定されるリング状の固定部７６と、その固定部７６の外周に沿って回転するリング状の回転部７７とを有して構成されており、その中央部分は空洞になっている。
【００３０】
以上のようなロータリーエンコーダにおいては、例えば、固定部７６には図示しないブラシが、回転部７７には図示しない複数の電極が取り付けられており、回転部７７が回転し、ブラシと電極が接触状態又は非接触状態となることで、パルスが出力されるようになされている。
【００３１】
次に、回転操作部２１の内側の方向指示操作部２２は、例えば、４方向のマルチウェイスイッチで構成されており、これにより、上下左右の４方向を指示することができるようになされている。
【００３２】
図７は、上記４方向マルチウェイスイッチの構成例を示しており、この図７の（Ａ）は平面図、（Ｂ）は正面図、（Ｃ）は右側面図である。
【００３３】
この図７において、マルチウェイスイッチは、上記本体部１０に固定されるスイッチ本体７８と、このスイッチ本体７８の上部に取り付けられ、図７の（Ａ）中の上下左右の４方向に所定の角度だけ傾けることが可能なシャフト７９とを有して構成されている。このようなマルチウェイスイッチにおいて、シャフト７９が上下左右の４方向のうちいずれかの方向に傾けられると、その方向に対応した信号が出力されるようになされている。
【００３４】
次に、図８は、上記編集装置１の回路の概略構成を示すブロック図である。この図８において、編集素材情報及び／又は編集結果情報が記録される複数の半導体メモリであるメモリカード２Ａ、２Ｂ、２Ｃそれぞれ着脱可能に装着する複数の半導体メモリ装着部であるメモリカードスロット６１Ａ、６１Ｂ、６１Ｃと、複数の画像を同時表示可能な表示部６２と、メモリカードスロット６１Ａ、６１Ｂ、６１Ｃに装着されたメモリカード２Ａ、２Ｂ、２Ｃに対する書込／読出を制御し、上記編集素材情報の編集処理を制御し、表示部６２に複数の画像を表示制御する制御部６３と、制御部６３により制御され、上記編集素材情報を編集処理して編集結果情報を出力する編集処理部６４とを有している。ここで、メモリカードスロット６１Ａ、６１Ｂ、６１Ｃは、それぞれ上記図１〜図５のメモリカードスロット１５、１６、３４に対応し、表示部６２は表示パネル３５に対応する。また、メモリカードスロット６１Ａ、６１Ｂ、６１Ｃに装着されたメモリカード２Ａ、２Ｂ、２Ｃは、それぞれインターフェース（Ｉ／Ｆ）回路６５Ａ、６５Ｂ、６５Ｃを介して編集素材情報の読出／書込が行われ、これらのインターフェース回路６５Ａ、６５Ｂ、６５Ｃは制御部６３により制御されることにより、メモリカード２Ａ、２Ｂ、２Ｃに対する読出／書込が制御部６３により制御される。メモリカード２Ａ、２Ｂ、２Ｃからインターフェース回路６５Ａ、６５Ｂ、６５Ｃを介して読み出された編集素材情報は編集処理部６４に送られ、編集処理部６４で編集処理されて出力された編集結果情報は、インターフェース回路６５Ａ、６５Ｂ、６５Ｃを介してメモリカード２Ａ、２Ｂ、２Ｃに書き込まれる。また、編集素材情報や編集結果情報、あるいは編集関連情報等は、インターフェース回路６６を介して表示部６２に送られ表示される。
【００３５】
また、上記回転操作部２１等の入力操作部６８がインターフェース回路６８Ｆを介して制御部６３に接続されている。制御部６３には、この他、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等が接続されている。この入力操作部６８の入力手段の１つとして、上記回転操作部２１が用いられ、上記スライド操作による切換信号や、ロータリーエンコーダの回転操作による回転に応じたパルス信号等がインターフェース回路６８Ｆを介して制御部６３に送られる。入力操作部６８には、この他、上記方向指示操作部２２や、円形ボタン２３、録音ボタン２５、２６等の操作ボタン、あるいは、軸端操作部４５、４６等も含まれるものである。
【００３６】
さらに、必要に応じて外部に対して映像（ビデオ）、音声（オーディオ）信号を入出力するようにしてもよく、ビデオ入力端子６６Ｖｉからの映像入力信号Ｖｉｎは、インターフェース回路６７Ｖｉを介して編集処理部６４に送られ、オーディオ入力端子６６Ａｉからの音声入力信号Ａｉｎは、インターフェース回路６７Ａｉを介して編集処理部６４に送られ、編集処理部６４からの映像編集出力は、インターフェース回路６７Ｖｏを介してビデオ出力端子６６Ｖｏに送られて映像出力信号として出力され、編集処理部６４からの音声編集出力は、インターフェース回路６７Ａｏを介してオーディオ出力端子６６Ａｏに送られて音声出力信号として出力される。
【００３７】
ところで、このような携帯用小型機器を持ち運んで使用する際には、一般的に電池を電源としている。この電池は、容量が大きくなるほど大きなスペースが必要とされ、本体に内蔵させると、本体のサイズが大きくなることにもなる。そこで、例えば、図９に示すように、編集装置１の本体部１０の裏面に取り付けられる保持用のベルト（バンド）１８内に、電池１９を収納することが好ましい。この電池１９は、１次電池、２次電池のいずれでもよいが、薄型で、ベルト（バンド）１８内に収納可能な形状寸法であることが必要とされる。この場合、ボタン電池を複数個ならべてもよいが、可撓性を有する薄板状の２次電池を用いることが好ましい。この薄型電池としては、例えば、ポリマフィルムに正極集電体と正極活物質とを設けた正極材と、ポリマフィルムに負極集電体と負極活物質とを網けら負極材とを、固体ポリマ電解質を介して積層して電池素子を構成し、この電池素子をラミネートフィルムによって封装してなるものが挙げられ、より具体的には、ゲル状物質や固体電解質が用いられ、高エネルギ密度と良好な可撓性を示すリチウムイオンポリマ二次電池等が用いられる。この場合、本体部１０内には電池を収納しなくともよいが、電池容量を十分に確保するために、本体部１０内にも電池を収納するようにし、ベルト（バンド）１８内の電池１９と併用することで、電池寿命の増大を図るようにしてもよいことは勿論である。
【００３８】
以上説明したような本発明の実施の形態によれば、メモリカード２のような着脱可能な半導体メモリを記憶媒体として用いた携帯用の編集装置を提供することができ、旅先等の出先で手軽に編集が行える。また、操作性が良好なジョグ／シャトル部のような回転操作部２１を１つ設け、この回転操作部２１をスライドさせることで編集対象を切り換えるようにしているため、１つの回転操作部２１を２つ以上の編集対象の操作に容易に使用することができ、携帯に便利な小型でありながら操作性を高めることができる。また、軸部４２の両端から軸方向に突出して軸端操作部４５、４６を設けているため、操作手段を本体部１０側（主面１１上等）以外にも、開閉軸の軸端部にも設けることができ、携帯に便利な小型でありながら操作手段を増加させて操作性を高めることができる。さらに、本体部１０の裏面の保持用のベルト（バンド）１８内に電池を収納することにより、本体部１０のサイズを抑えながら電池容量の増大を図ることができる。
【００３９】
なお、本発明は上述した実施の形態のみに限定されるものではなく、本発明の要旨を逸脱しない範囲において種々の変更が可能であることは勿論である。
【００４０】
例えば、上述の実施の形態では、回転操作部２１を横方向（図中左右方向）にのみ移動（スライド）可能としていたが、縦方向（図中上下方向）や、上下左右方向等に移動（スライド）可能に構成してもよい。また、上記実施の形態では、映像（ビデオ）信号の編集を主体に説明したが、映像（ビデオ）及び音声（オーディオ）の編集や、音声（オーディオ）のみの編集にも本編集装置を適用可能であることは勿論である。また、上記実施の形態では、編集装置を例に挙げて説明したが、携帯用小型の表示装置に本発明を適用することも可能である。例えば、軸部を介して回動自在に連結される本体部と表示部付きの蓋体とを有する表示装置において、軸部から軸方向に突出する軸端操作部を設けるようにしてもよい。この他、本体や蓋体の外形形状、操作部の形状や配置等も図示の例に限定されないことは勿論である。
【００４１】
【発明の効果】
本発明に係る編集装置は、編集素材情報を編集処理して編集結果情報を生成する編集装置において、上記編集素材情報及び／又は編集結果情報が記録される複数の半導体メモリをそれぞれ着脱可能に装着する複数の半導体メモリ装着部と、複数の画像を同時表示可能な表示部と、上記複数の半導体メモリ装着部に装着された半導体メモリに対する書込／読出を制御し、上記編集素材情報の編集処理を制御し、上記表示部に複数の画像を表示制御する制御部と、上記制御部により制御され、上記編集素材情報を編集処理して編集結果情報を出力する編集処理部とを有することにより、メモリカードのような着脱可能な半導体メモリを記憶媒体として用いた携帯用の編集装置を提供することができ、旅先等の出先で手軽に編集が行える。
【００４２】
また、本発明に係る編集装置は、複数の記録媒体に記録された複数の編集素材情報を編集処理して編集結果情報を生成する編集装置において、上記制御部により制御され、上記複数の編集素材情報を編集処理して編集結果情報を出力する編集処理部と、回転操作される回転操作手段を有する操作入力部と、上記操作入力部からの操作入力に応じて上記編集処理部における編集処理を制御する制御手段とを有し、上記回転操作手段は平行移動可能に構成され、この回転操作手段の平行移動に応じて上記制御手段により上記複数の編集素材情報が記録された記録媒体を選択して上記編集処理手段による編集処理を行わせることにより、携帯に便利な小型でありながら、操作性が良好な編集装置を提供できる。
【００４３】
さらに、本発明に係る画像表示装置は、本体部と、該本体部の主面と略同形状の対向面を有する蓋体と、上記本体部及び上記蓋体の少なくとも一方に設けられた画像表示部と、上記本体部及び上記蓋部の一辺から突出して設けられ、上記一辺に平行な軸を回転軸として上記本体部及び上記蓋部を回動自在に軸支する軸部と、上記軸部から軸方向に突出して設けられた軸端操作部とを有することにより、操作手段を平坦面以外にも軸端部にも設けることができ、携帯に便利な小型でありながら操作手段を余分に設けることができ、操作性が高まる。
【図面の簡単な説明】
【図１】本発明の実施の形態となる編集装置の蓋を開いた状態を示す斜視図である。
【図２】同編集装置を示す平面図である。
【図３】同編集装置を示す裏面図である。
【図４】同編集装置において、（Ａ）は蓋体のみを取り出して示す正面図、（Ｂ）は図２のＩＶ−ＩＶ線断面矢視図である。
【図５】同編集装置を示す横断面図である。
【図６】同編集装置の回転操作部に用いられるロータリーエンコーダの構成例を示す、（Ａ）平面図、（Ｂ）断面図、及び（Ｃ）側面図である。
【図７】同編集装置の方向指示操作部に用いられるマルチウェイスイッチの構成例を示す、（Ａ）平面図、（Ｂ）断面図、及び（Ｃ）側面図である。
【図８】同編集装置の内部回路の概略構成を示すブロック図である。
【図９】同編集装置の裏面側に電池入りのベルトを設けた例を示す斜視図である。
【符号の説明】
１  編集装置、  ２Ａ〜２Ｃ  メモリカード、  １０  本体部、  １５，１６，３４  メモリカードスロット、  １８  ベルト（バンド）、  １９  電池、  ２１  回転操作部、  ２２  方向指示操作部、  ２３  円形ボタン、  ３０  蓋体、  ３５  表示パネル、  ３６Ａ  Ａ画像、  ３６Ｂ  Ｂ画像、  ４０  連結部、  ４２  軸部、  ４５，４６  軸端操作部
【図１】
2004266357.tif 000003
【図２】
2004266357.tif 000004
【図３】
2004266357.tif 000005
【図４】
2004266357.tif 000006
【図５】
2004266357.tif 000007
【図６】
2004266357.tif 000008
【図７】
2004266357.tif 000009
【図８】
2004266357.tif 000010
【図９】
2004266357.tif 000011